(57)【要約】【課題】タンパク質を電気泳動により結合できるブロット膜を保持するホルダーを備える免疫測定を実施するための装置の提供。【解決手段】この課題は、プラスチック及び紙よりなる群から選択される材料から形成されるホルダーを備える、免疫測定を実施するための装置であって、該ホルダーは、頂部及び底部を有し、それぞれの頂部及び底部は、外縁部、頂部表面及び底部表面並びに該頂部表面と底部表面との間にある厚みを有し、該部分の少なくとも一つは、該外縁部の内側に向かって固体部分を有し、少なくとも該頂部は、該外縁部の内側に向かう開口と、該底部の頂部表面上に形成された多孔質支持体と、該頂部の下部表面上に形成された流れ分配部であって該頂部の該開口を覆うものとを有し、ここで、該第１部分と第２部分とは、該頂部の底部表面と該底部の頂部表面とを互いに隣接して調整しかつ配置して該頂部及び底部を一つにするように該ホルダーの頂部と底部とを合わせるときに、互いに解放可能に固定される装置によって解決される。【選択図】図５
2015165248.tif 000002
【特許請求の範囲】
【請求項１】
プラスチック及び紙よりなる群から選択される材料から形成されるホルダーを備える、免疫測定を実施するための装置であって、該ホルダーは、頂部及び底部を有し、それぞれの頂部及び底部は、外縁部、頂部表面及び底部表面並びに該頂部表面と底部表面との間にある厚みを有し、該部分の少なくとも一つは、該外縁部の内側に向かって固体部分を有し、少なくとも該頂部は、該外縁部の内側に向かう開口と、該底部の頂部表面上に形成された多孔質支持体と、該頂部の下部表面上に形成された流れ分配部であって該頂部の該開口を覆うものとを有し、ここで、該第１部分と第２部分とは、該頂部の底部表面と該底部の頂部表面とを互いに隣接して調整しかつ配置して該頂部及び底部を一つにするように該ホルダーの頂部と底部とを合わせるときに、互いに解放可能に固定される、前記装置。
【請求項２】
外方向に形成され、かつ、前記多孔質支持体開口部を取り囲む、前記第１部分と前記第２部分とを互いに解放可能に固定するためのシーリング材料を備える、請求項１に記載の装置。
【請求項３】
前記ホルダーの前記頂部及び前記底部が一つの材料から作製され、しかも該ホルダーが該ホルダーの幅に沿って第１部分及び第２部分を形成する把持部を有する、請求項１に記載の装置。
【請求項４】
前記把持部がヒンジである、請求項１に記載の装置。
【請求項５】
前記流れ分配部は下部表面及び上部表面を有し、該流れ分配部の上部表面は、前記第１部分の前記厚みが該流れ分配部の該上部表面上に１個以上のウェルを形成するように前記ホルダーの前記頂部の前記底部表面に取り付けられた、請求項１に記載の装置。
【請求項６】
前記頂部の前記開口が該頂部の前記外縁部内において中央に位置している、請求項１に記載の装置。
【発明の詳細な説明】
【技術分野】
【０００１】
本願は、２０１１年５月１１日に出願された米国仮出願第６１／４８４，７０１号の優先権を主張する。その開示は、引用により含めるものとする。
【０００２】
本発明は、ブロッティング膜に含まれる物質の位置を検出するための装置及び方法に関する。特に、本発明は、試薬、洗浄溶液及び検出用化学物質をブロッティング膜に塗布して、真空又は陽圧の使用によりこの検出を迅速に達成するための技術に関する。
【背景技術】
【０００３】
背景
ゲル電気泳動の使用は、近年では、生物由来物質を分離するためのユビキタス技術となっている。また、非生物由来物質も、ゲルその他のクロマトグラフィー担体を使用して分離できるが、生物製剤に関する努力範囲の方が大きい。典型的な用途には、配列決定の状況、すなわち多型の決定の際における様々なサイズの核酸断片又は他の状況でのサイズの検証がある。また、頻繁に実施されているのは、タンパク質、糖タンパク質、タンパク質断片の分離及び均一性又は純度の検証としてのゲル分離の適用、翻訳後修飾の同定及び分子量の確認である。
【０００４】
これらの手順の全てにおいて、生物学的実体の混合試料を電気泳動ゲルに適用し、それらの成分を、このゲルを横切る電場の適用により分離する。ゲルを展開させる態様にもかかわらず、試料中に含まれる物質の移動パターンをいくつかの方法で検出しなければならない。
【０００５】
この検出を行うために、典型的にはゲル担体とブロッティング膜とを接触させ、この膜に、物質をゲル上で見られるのと同じパターンで転移させる。その後「スポット」を、最低でも、この膜をタンパク質又は洗浄溶液でブロックして非特異的な結合を減少させる（この非特異的な結合は、減少させなければ高レベルのノイズ及び低レベルの検出をもたらす）。典型的なブロッキング剤としては、ＴＷＥＥＮ（商標）界面活性剤を有するＴｒｉｓ緩衝生理食塩水（ＴＢＳ−Ｔ溶液）又はＴＷＥＥＮ（商標）界面活性剤を有するリン酸緩衝生理食塩水（ＰＢＳ−Ｔ溶液）中のカゼイン、ウシ血清アルブミン（ＢＳＡ）、脱脂粉乳（一般的には約１〜５％）が挙げられる。その後、生物学的実体を膜上の抗原に特異的な抗体と共にインキュベートする。その後、この膜を広範囲にわたって洗浄して、あらゆる汚染物、結合していないブロッキングタンパク質又は抗体などを除去する。続いて、この膜を一次抗体に特異的な二次酵素−、放射性同位元素−、ｆｌｕｏｒｆｌｕｏｒ−又はビオチン−結合抗体で処理しインキュベートする。続いて、この膜を再度広範囲にわたって洗浄して結合しなかった二次抗体を除去する。その後、酵素結合体に結合する又は酵素結合体の基質である検出試薬、一般には発色物質、化学発光物質、蛍光物質、放射性物質又はストレプトアビジンをラベルした材料を適用する。最後に、適当な検出装置を使用して生物学的実体の存在、不存在、位置、量などを検出する。最後の６つの工程は、一般に、選択した試薬と、膜と、生物学的実体との反応の速度に応じて３〜６時間から一晩かかる。この方法は、ロッキング又は他の好適な混合プラットフォーム上での複数回のインキュベーション期間を要する。これは、大部分の研究者が嫌悪する冗長な方法であり、大量の試薬を消費（浪費）する。
【０００６】
数名の研究者が膜の下に設置された濾紙などの吸収材料の毛管作用を使用して、残留流体を膜を介して汲み出し、この方法、特に洗浄工程の速度を改善させることを提案している。
【０００７】
米国特許第５，１５５，０４９号には、Ｈｏｅｆｅｒ  Ｓｃｉｅｎｔｉｆｉｃ  Ｉｎｓｔｒｕｍｅｎｔｓ社が販売するＨｙｂｒｉｄ−Ｅａｓｅ（商標）ハイブリダイゼーションチャンバーと呼ばれるシステムが記載されている。このチャンバーは、膜がサンドイッチされる２つのグリッドから構成される。グリッドプレートを膜を取り囲む位置に折り、そしてシリンジをグリッドによって創り出されたオープンスペースに嵌め合わせる。一方のシリンジを使用して試薬を適用し、そして洗浄し、そして他方のもので過剰分を取り出す。このシステムは、操作するために大容量の液体を必要とし、使用するのに邪魔となり、しかもなお非常に時間を消費する。また、この文献には、いくつかの特定のアッセイ、例えば小容量ウェル（例えば、９６ウェルマイクロタイタープレート）でのＥＬＩＳＡアッセイにおいて、洗浄工程で真空を使用して膜を介して液体を引き出したことも記載されている。しかしながら、彼らは、この努力を考慮に入れていない。というのは、これは、少量の用途でしか利用可能ではなく、かつ、依然として制御不能だからである。その代わりに、彼らは、良好な方法は、濾紙の頂部に膜及びカバー層を有する手動プレスを使用し、その後、２個のプレート間にサンドイッチされた膜を押圧して膜を通して液体を濾紙に絞り出すことであることを示唆している。
【０００８】
２００５年１１月３日に出願されたＵＳＳＮ６０／７３２，９９４号には、ブロッティング膜の１以上の層の下に多孔質支持体を有する数個の層と、ブロッティング膜の上にある流れ分配器と、該流れ分配器上にあり、液体を所望の領域にまで収容し、かつ、このような液体の出発容量を低くすることを可能にするためのウェルから形成された装置を使用することが提案されている。好ましくは、流れ分配器は、非結合性又は低結合性多孔質膜である。
【０００９】
２００６年１０月１８日に出願された同時係属米国特許出願第１１／５８２，７２７号及び同１１／５８２，５９９号には、流れディレクターと多孔質支持体とを有するホルダーが様々な流体を処理し、かつ、生物学的実体を検出するためのマニホールド装置に適合できる装置が開示されている。このマニホールドは、ウェルを有する又は有しないカバーと、ホルダーの中央開口部と合致する中央開口部とを有する。これは有用ではあるが、これを広く用いかつ受け入れることを阻害する制限がある。
【先行技術文献】
【特許文献】
【００１０】
【特許文献１】米国特許第５，１５５，０４９号明細書
【特許文献２】米国特許出願公開第６０／７３２，９９４号明細書
【特許文献３】米国特許出願公開第１１／５８２，７２７号明細書
【特許文献４】米国特許出願公開第１１／５８２，５９９号明細書
【発明の概要】
【発明が解決しようとする課題】
【００１１】
ブロッティング膜上での生物由来物質又は実体のさらに効率的な検出方法が必要とされていることは明らかである。本発明は、ブロッティング膜中での生物学的実体をさらに効果的かつ効率的に検出することを可能にする。
【課題を解決するための手段】
【００１２】
概略
所定の実施形態に従って、免疫検出システム及び方法を提供する。このシステムは、真空などの原動力と連絡するように構成されたマニホールド基部を備える。このマニホールドは、ブロット膜ホルダーを支持するキャリアーを保持する。このブロット膜ホルダーは、タンパク質を電気泳動により結合できるブロット膜を保持する。このシステム及び方法は、使用者が化学発光などによる検出のためのタンパク質ブロットを迅速かつ効率的に調製することを可能にする。
【００１３】
一実施形態では、ここで開示する方法を実施する際に有用な装置を提供する。この装置は、下部多孔質支持体層及び上部流れ分配部から形成されたブロッティング膜ホルダー（ブロットホルダー又は単にホルダーともいう）から構成される。これら２つのものは、ヒンジ、クリップ、ゴムバンド、接着剤、玉継手、ピン及び凹部などによる方法によって互いに保持され、或いはファスナーを協調的に係合させることや他の手段によって互いに保持される。このホルダーを開き、そして１個以上のブロッティング膜を下部層と上部層との間に設置する。その後、このホルダーを閉じ、そして上部及び下部プレートから形成されるキャリアであって、それぞれが流体を該キャリアの頂部プレート、ホルダー及びその中に収容されている膜に通し、その後該キャリアの下部プレートに通すことを可能にする少なくとも１個の開口を有するものに設置する。続いて、このキャリアを、ブロッティング膜上で試料を処理するためのマニホールド装置にセットする。この処理が完了次第、キャリアをマニホールドから取り外し、開き、そしてブロット膜ホルダーを取り外す。その後、ブロット膜ホルダーを開き、そしてブロット膜を下流検出のために抽出する。
【００１４】
別の実施形態では、ホルダーは、プラスチック及び紙よりなる群から選択される材料から形成され、該ホルダーは頂部及び底部を有し、それぞれの頂部及び底部は、外縁部と、頂部表面と、底部表面と、頂部表面と底部表面との間の厚みとを有し、これらの部分の少なくとも一つは外縁部の内側に向かう固体部分を有し、少なくとも頂部は、外縁部の内側に向かう開口と、底部の頂部表面上に形成された多孔質支持体と、該頂部の下部表面上に形成された流れ分配部であって、該分配部が該頂部の開口を覆うものとを有し、ここで、ホルダーは、該頂部の底部表面と該底部の頂部表面とを互いに隣接して調整しかつ配置して該頂部及び底部を一つにするように該ホルダーの頂部と底部とを合わせるときに、該第１部分と該第２部分とを互いに解放可能に固定するための手段を有する。
【００１５】
別の実施形態では、ホルダーは、頂部及び底部は、それぞれ片側に沿って目打ちを有し、該目打ちを頂部及び底部上で整列させ、そして該目打ちがホルダーを開くように容易に裂けてブロット膜を回収するように形成される。
【００１６】
一実施形態では、キャリアは、試薬及び洗浄用流体を保持するためのウェルを形成するようにキャリアの頂部プレートの開口から上方向に延在する外側外壁を有する。
【００１７】
さらなる実施形態では、キャリアは、該キャリアの頂部表面が少なくともその長さ、好ましくはその長さ及び幅に沿って水平面で水平であるかどうかを示すための１個以上のレベル指示器を有する。また、このレベルは、マニホールド上でのものであることもできるであろう。
【００１８】
別の実施形態では、レベル指示器は、単一の３６０度バブル指示器である。
【００１９】
さらなる実施形態では、レベル指示器は、頂部プレートの頂部表面の長さに沿って配置される少なくとも１個と、頂部プレートの頂部表面の幅に沿って配置される少なくとも１個とを有する少なくとも２個のラインレベルバブル指示器である。
【００２０】
さらなる実施形態では、キャリアの内部表面は、膜にしわが形成されず、かつ、膜の表面を可能な限り平坦又は平面にするように、ホルダー内にある１個以上のブロッティング膜を延ばすための特徴を含む。
【００２１】
別の実施形態では、キャリアは、頂部又は底部プレートの内部表面の少なくとも一つ上に位置したフランジシールから形成された伸張性の特徴を有する。好ましくは、キャリアは、少なくとも底部プレートの隣接する内部表面上に形成されたフランジシールを有する。より好ましくは、フランジシールは、ホルダーの開口よりも大きい幅及び長さで設置されているが、ただし、ホルダーの外縁部の幅及び長さ未満である。
【００２２】
別の実施形態では、キャリアは、該キャリアの一方の半分上に位置した圧縮性又は可撓性部材からなる伸張性の特徴と共に、キャリアの他方の半分上にある反対側の隆起硬質特徴を有する。
【００２３】
一実施形態では、マニホールドは、ブロッティング膜に併走する２個以上のサブウェル又は一方のブロッティング膜の副部分に分割され、それぞれの膜は、典型的には、少なくとも１種の異なる試薬で処理される。
【００２４】
別の実施形態では、キャリアは、２個以上のサブウェルに分割され、ホルダーも対応するサブウェルに分割される。
【００２５】
別の実施形態では、キャリアサブウェルは、ウェル間の流体移動を防ぐように、個々に密封され、かつ、対応するホルダーサブウェルと共に整列する。
【００２６】
別の実施形態では、マニホールドは、キャリアの一実施形態の１個以上のレベル指示器と共に使用される場合に、マニホールド及びキャリアを水平面で水平にすることを可能にするレベリングフィートを有する。
【００２７】
一実施形態では、マニホールドは、キャリアがマニホールドに取り付けられたときに、キャリア上のレベル指示器に関してマニホールドを水平にするように垂直方向に調節することのできる一連のフィートを有する。
【００２８】
さらなる実施形態では、一連のフィートは、該フィートを垂直方向に個々に上昇又は低下させることを可能にするマニホールド底部のネジ部に適合するスクリューを有する。
【００２９】
別の実施形態では、マニホールドは、キャリアと異なるブロッティング膜又は１個のブロッティング膜の副部品とを併走させるように２個以上のサブウェルに分割され、それぞれの膜は、典型的には、少なくとも１種の異なる試薬で処理される。
【００３０】
別の実施形態では、キャリア頂部プレートの開口は、長期間、すなわち一晩のインキュベーションの間における蒸発を最小限に抑えるために該開口の上縁に配置された蓋を有する。
【００３１】
別の実施形態では、この蓋は、ウェルと開放可能な関係を有する。
【００３２】
別の実施形態では、蓋は、不透明材料から作られたもののように遮光性である。
【００３３】
別の実施形態では、底部プレート上の開口は、流体の漏れを防ぐためのカバーを有する。
【００３４】
別の実施形態では、このカバーは、開放できるように密封される。
【００３５】
別の実施形態では、このカバーは、弁の特徴を有する。
【００３６】
別の実施形態では、弁は、アヒルのくちばし形又は傘形の構造のものである。
【００３７】
別の実施形態では、弁は、圧力差によって開放可能であり、かつ、弁にわたって圧力差が存在しないときに閉じる。
【００３８】
別の実施形態では、１種以上の生物学的実体をブロッティング膜上で検出するための迅速で、効率的で、しかも便利な方法を提供する。この検出は、膜上での生物学的物質の位置、性質又は量に関するものであることができる。この方法は、試薬をブロッティング膜に供給しかつ除去するために陽圧又は真空から選択される圧力補助群を含み、かつ、極めて低容量の液体及び試薬を使用して検出されるべき膜中に埋め込まれた物質から汚染物を洗浄することを可能にする。この方法は、ブロッキング工程、洗浄工程及び抗体結合工程を、ブロット品質を損なうことなく約３０〜４５分以内に完了することを可能にする。単に、ホルダーを取り、それを開き、そして、装置を膜を囲むように閉じたときにブロッティング膜の下部表面が多孔質支持体に隣接し、かつ、ブロッティング膜の上部表面が流れ分配部に隣接するように、ブロッティング膜をそれらの表面の一つ以上に設置することで足りる。この装置は、圧力又は真空供給部を有するマニホールド上又は該マニホールド中に設置され、そしてプロセスを開始する。
【００３９】
本発明の別の目的は、１個以上のブロットであって、真空マニホールドと、該マニホールド上に適合するように構成されたキャリアと、該ブロットを処理するための該キャリア内に適合するように構成されたホルダーと、抗体の１種以上を集める手段とを備えるものの圧力又は真空補助免疫測定を実施するための装置を提供することである。
【００４０】
本発明のさらなる目的は、１個以上の膜上で真空補助免疫測定を実施するための方法であって、次の工程：
真空マニホールド、頂部プレート及び底部プレートから形成される、ホルダーを保持するためのキャリアであって、該プレートのそれぞれが流体を通過させるようにその厚みを通して形成された少なくとも１個の開口を有するものと、該キャリアの頂部プレートと底部プレートとの間に設置され、かつ、該キャリアの各プレートの少なくとも１個の開口と流体連通した状態にあることのできる、１個以上のブロッティング膜用のホルダーであって、互いに保持される多孔質支持体及び流れ分配部から形成されるものと、アッセイされる１種以上の生物学的実体を含有する１個以上の膜であって該多孔質支持体上に設置されるものとを準備し、ここで、該膜の頂部には流れ分配部があり、該ホルダーは、流れ分配部が該頂部プレートの底部又は内部表面に隣接し、かつ、該多孔質支持体が該底部プレートの頂部表面の内側に隣接するように該キャリアの該頂部プレートと該底部プレートとの間に設置されるものとし、
１種以上の試薬を該キャリア頂部プレートの少なくとも１個の開口に添加し、そして真空を加えて該試薬を該頂部プレートにおける開口、該ホルダーの流れ分配部と多孔質支持体及び該底部プレートの開口を通して該膜に引っ張り、
１種以上の洗浄剤を該１個以上のウェルに添加し、そして真空を加えて該洗浄剤及び結合していない任意の試薬を、該頂部プレートの開口、流れ分配部、膜及び多孔質支持体とキャリアの底部プレートの開口とを介して真空マニホールドに引っ張り、そして
適宜、工程（ｂ及びｃ）をさらに１回以上繰り返すこと
を含む方法を提供することである。
【００４１】
所定の実施形態では、免疫測定を実施するための装置であって、プラスチック及び紙よりなる群から選択される材料から形成されるホルダーを備え、該ホルダーは、頂部及び底部を有し、それぞれの頂部及び底部は、外縁部、頂部表面及び底部表面並びに該頂部表面と底部表面との間に所定の厚みを有し、該部分の少なくとも一つは、該外縁部の内側に向かって固体部分を有し、少なくとも該頂部は、外縁部の内側に向かう開口、該底部の頂部表面上に形成された多孔質支持体及び該頂部の下部表面上に形成された流れ分配部であって、該頂部の開口を覆うものを有し、ここで、該ホルダーは、該頂部の底部表面と該底部の頂部表面とを互いに隣接して配列しかつ配置して該頂部と該底部とを一つにするように該ホルダーの頂部と底部とを整列させるときに、該第１部分と該第２部分とを互いに解放可能に固定するための手段を有する装置を開示する。
【００４２】
所定の実施形態では、解放可能に固定するための手段は、下方向に形成されかつ多孔質支持体の開口部を取り囲むシーリング材料を備えることができる。ホルダーの頂部及び底部は、一つの材料から作製でき、ホルダーは、第１部分及び第２部分を形成するようにホルダーの幅にわたる把持部を有することができる。この把持部はヒンジとすることができる。
【００４３】
所定の実施形態では、流れ分配部は下部及び上部表面を有することができ、該流れ分配部の上部表面は、該第１部分の厚みが該流れ分配部の上部表面に１個以上のウェルを形成するように該ホルダーの頂部の底部表面に取り付けることができる。この頂部の開口は、該頂部の外縁部内に中心に設置される。
【００４４】
所定の実施形態では、免疫測定を実施するための装置はホルダーと該ホルダー用のキャリアとを備えることができ、該ホルダーは、プラスチック及び紙よりなる群から選択される材料から形成され、該ホルダーは頂部及び底部を有することができ、それぞれの頂部及び底部は、外縁部、頂部表面及び底部表面並びに該頂部表面と該底部表面との間の厚みを有することができ、該部分の少なくとも一つは該外縁部の内側に向かう固体部分を有することができ、少なくとも該頂部は、外縁部の内側に向かう開口、底部の頂部表面上に形成された多孔質支持体及び該頂部の下部表面上に形成された流れ分配部であって、該分配部が該頂部の開口を覆うものを有することができ、この場合、ホルダーは、該頂部の底部表面と該底部の頂部表面とを互いに隣接して整列しかつ配置して該頂部と該底部とを一つにするように該ホルダーの頂部と底部とを整列させるときに、該第１部分と該第２部分とを互いに解放可能に固定するための手段を有することができる。
【００４５】
所定の実施形態では、装置は、それぞれ所定の幅及び長さ、頂部及び底部表面並びに該頂部表面及び該底部表面との間の厚み、外縁部及び少なくとも１個の開口を有する頂部プレート及び底部プレートから構成されるホルダー用のキャリアを備えることもでき、該プレートは、該ホルダーの長さ及び幅よりも大きい長さ及び幅のものであり、該キャリアの該頂部プレートは、該ホルダーの該頂部の該開口に幅及び長さの点で実質的に等しい開口を有し、該頂部プレートの該底部表面及び該底部プレートの該頂部表面は、それぞれ、該２つのプレートが互いに隣接する場合には互いに合致した１個以上のシールを有し、しかも、該シールは、該頂部プレートの該開口の幅及び長さよりも大きいが、ただし該ホルダーの外径よりも小さい幅及び長さでそれぞれの表面上に配置され、該プレートの少なくとも一つは、該プレートの該外縁部に隣接し、かつ、該プレートの該シールの外方向に形成されるシールと、該頂部プレート及び該底部プレートを共に解放可能に保持するための手段とを有する。
【００４６】
所定の実施形態では、頂部プレートの底部表面及び底部プレートの頂部表面におけるシールはフランジシールとすることができる。
【００４７】
所定の実施形態では、頂部プレートの上部表面に取り付けられる少なくとも１個のレベル指示装置が存在することができ、該装置としては、３６０度指示器を挙げることができる。一方が頂部プレートの頂部表面の長さに沿い、他方がその幅に沿う２個のレベル指示器が存在することができる。
【００４８】
所定の実施形態では、真空マニホールドとプラスチック又は紙から形成されたホルダーとを備える、真空補助免疫測定を実施するための装置であって、該ホルダーは、第１部分と第２部分とを形成するように該ホルダーの幅にわたる把持部を有し、それぞれの部分は、該ホルダーが該把持部に沿って保持され閉じられる場合に整列する開口を有し、多孔質支持体が第１開口部を覆い、かつ、流れ分配部が第２開口部を覆い、ここで、該ホルダーは、該ホルダーを該把持部に沿って保持し閉じて該第１部分と該第２部分とを一緒にしたときに、該第１部分と該第２部分とを互いに解放可能に固定するための手段を有する装置を開示する。流れ分配部は膜であることができる。
【００４９】
所定の実施形態では、基部を有する真空マニホールドを備える、免疫測定を実施するための装置であって、該基部は、処理を受けるホルダーを収容する１個以上のキャリアを支持するための上部支持体表面と、該支持体の下にあるドレーンとを有し、該上部表面は、これを貫通して延在する１個以上の中央開口部を備え、しかも該１個以上の中央開口部は、該１個以上のキャリアに合致する装置を開示する。
【図面の簡単な説明】
【００５０】
【図１】図１は、所定の実施形態に従うキャリアの分解図である。
【図２】図２は、所定の実施形態に従う開放した状態でのキャリアの斜視図である。
【図３】図３は、所定の実施形態に従う閉じた状態でのキャリアの斜視図である。
【図４】図４は、所定の実施形態に従うキャリアの、断面で示される斜視図である。
【図４Ａ】図４Ａは、所定の実施形態に従う傘形弁を有するキャリアの断面で示される斜視図である。
【図５】図５は、所定の実施形態に従うブロッティング膜を備えるブロット膜ホルダーの斜視図である。
【図５Ａ】図５Ａは、所定の実施形態に従う、流れ分配部を示すブロット膜ホルダーの斜視図である。
【図５Ｂ】図５Ｂは、所定の実施形態に従うブロット膜ホルダーの下面から見た斜視図である。
【図６】図６は、所定の実施形態に従う、図５のホルダーを備える開放した状態でのキャリアの斜視図である。
【図７】図７は、所定の実施形態に従うキャリアの下面の分解斜視図である。
【図８】図８は、所定の実施形態に従う、定位置にカバーを有するキャリアの下面の斜視図である。
【図９】図９は、所定の実施形態に従うマニホールドの斜視図である。
【図９Ａ】図９Ａは、所定の実施形態に従う回収容器を有するマニホールドの斜視図である。
【図１０】図１０は、所定の実施形態に従うキャリアを備えるマニホールドの分解斜視図である。
【図１０Ａ】図１０Ａは、所定の実施形態に従うマニホールド、ホルダー及びキャリアの斜視図である。
【発明を実施するための形態】
【００５１】
詳細な説明
まず図１を見ると、所定の実施形態に従うキャリア１０が示されている。示された実施形態では、キャリア１０は、蓋１１と、キャリア頂部プレート１２と、キャリア底部プレート１３と、カバー１４と、キャリア頂部プレート１２上にあるバブルレベル１５とを備える。所定の実施形態によれば、キャリア１０は、ブロットホルダーを平面で保持し、かつ、抗体、洗浄緩衝液などの試薬をブロットホルダーに供給するように機能する。所定の実施形態によれば、キャリア１０は、マニホールド基部（以下で議論する）とは分離した独立型装置であり、これは、使用者が複数のブロットを同時に設定することを可能にする。すなわち、各キャリア１０にブロットを含有するブロットホルダーを選択的に装填し、それぞれに抗体を添加し、その後インキュベートすることができる。
【００５２】
図２は、開放した状態でのキャリア１０の実施例を示しており、頂部プレート１２の下面が図の左に示され、底部プレート１３の上面が右に示されている。示された実施形態では、頂部プレート１２と底部プレート１３は、ヒンジ１６により連結されている。この実施形態で示されるように、ヒンジは、これら２つの部分を互いに結合させる「ライブ」ヒンジである。或いは、ヒンジは、別々に作製され、接着剤、ヒートボンド又は機械ファスナーを使用して取り付けることができる。他の実施形態は、ヒンジを使用せず（図示しない）、それぞれの頂部及び底部上に又はその中にこれらを使用の間に互いに保持するために形成されるクリップ、ゴムバンド又は協調的にかみ合うファスナー、例えば溝と戻り止め、摩擦取り付けピンなどを使用する。他の同等の手段は、当業者には自明であり、これは、これらを同様に含めることを意味する。
【００５３】
所定の実施形態に従う、キャリア頂部プレート１２は、使用中に洗浄用流体及び試薬を保持し及び／又は共有するために使用できる１個以上のウェル２２を有することができる。ウェル２２は、直立壁２２ａ、２２ｂ、２２ｃ及び２２ｄを有する頂部キャリアプレート１２の頂部表面の一部として形成でき（図１）、或いはキャリア頂部プレート１２の頂部に単純に取り付けられる又は設置される分離した部品として形成できる。蓋１１は、ウェル２２を覆い、かつ、抗体及び他の流体が長期のインキュベーション、特に一晩のインキュベーションの間に蒸発しないようにするためにキャリア１０上に設置できる。
【００５４】
キャリア底部プレート１３は、単純なスクリーン、グリッド、流れ指示グリッド又は焼結多孔質支持体、例えばＰＯＲＥＸ（商標）膜又は粗大な若しくは大きな孔付き微細孔フィルター、例えば織紙若しくは不織紙、ポリプロピレン若しくはポリエチレン布、ガラスマット若しくは紙、又は１〜１０ミクロン微細孔フィルターであることができる多孔質支持体４を備える。このような支持体は、ステンレス鋼又は合金鋼、アルミニウムなどといった金属及びポリエチレン、ポリプロピレン、ポリスルホン、ポリエーテルスルホン、スチレン、ナイロンなどといった重合体を含めて（これらに限定されない）、重合体、ガラス、セラミック又は金属材料から作製できる。図２は、一連の溝７２及び開口７４を備える流れ指示グリッドの形態の多孔質支持体４を示す。開口７４は、多孔質支持体４の外周から内側に位置する。開口７４は、流体が溝７２に集められ、かつ、開口７４に向かうように溝７２と流体連通する。溝７２は、使用済み流体を集め、そして該流体を廃棄チャンバー又は回収トレー（図示しない）に向かわせる開口７４に供給する。研究者が流体の一つ以上を回収することを望む場合には、回収トレーを適切に設置してそうすることができる。当業者であれば、所望の結果が使用済み流体を所定の行き先に向かわせる１個の開口又は一連の開口に向かわせることである場合には、溝又は開口の他のパターンを使用することができることが分かるであろう。
【００５５】
支持体４及びキャリア頂部プレート１２の外縁部は、支持体４と同じ材料から作製できる。一体型ヒンジを使用する場合には、可撓性材料、例えばポリエチレン、ポリプロピレン、エラストマー又はＡＢＳ、Ｋ樹脂などの耐衝撃性改善材料の１種から作製しなければならない。分離ヒンジ、クリップ、ゴムバンド、接着フィルム又は他の固定手段を使用する場合には、これらは、適宜金属、プラスチック又はエラストマーから作製できる。
【００５６】
所定の実施形態によれば、第１フランジシール３０Ａは、示されるように頂部キャリアプレート１２の下面に、キャリア底部プレート１３上にある多孔質支持体４の周囲に位置した第２フランジシール３０Ｂと協調的に設置され、頂部及び底部プレートは、ブロットホルダーが係合した状態で閉鎖状態にあるときに流体密閉系を維持する。つまり、フランジシール３０Ａ及び３０Ｂは、頂部キャリアプレート１２を底部キャリアプレート１３に対して閉鎖位置に回転させ、２個のシールが互いに合致してキャリアを密封するように設置される。所定の実施形態では、それぞれのフランジシール３０Ａ、３０Ｂは、好ましくはシリコーン又は熱可塑性エラストマー（ＴＰＥ）などの可撓性エラストマーから作製され、かつ、Ｖ形であり、該Ｖの一方の足は他方のものよりも短い。各Ｖ形フランジシールの長い端部は、頂部及び底部キャリアプレートのそれぞれの凹部に収まっている（図４）。各Ｖ形シールの短い足は、一段高い容易に変形できる特徴である。キャリアの閉鎖・密封位置において、頂部キャリアプレート上にあるＶの短い方の足は、ブロットホルダーの頂部表面を接触させる。底部キャリアプレート上にあるＶの短い方の足は、ブロットホルダーの底部を接触させ、かつ、図４で最もよく見られるようにそれる。このシールの角度のついた形状は、偏向したときにホルダー５０を押す又は延ばす力を発揮し、これは、膜を「たたき」、そしてこれを平坦に保持する。平膜は、膜表面上に、抗体容量をプールするピークと谷を創り出し、次に抗体に対する露出の多い又は少なくブロット膜の領域をもたらし、それによって好ましくない矛盾する結果をもたらす可能性のある変形を回避する。このシールは、漏れを防ぎ、かつ、長期（例えば、一晩）インキュベーションを可能にする。また、このシール設計は、キャリア１０に必要な小さい力の密封機構及び小さいクランプ力も可能にする。これは、ホルダー及びブロット膜の平坦性を維持するのに役立つ。解放可能ラッチ３５又は他のロック機構により、キャリアを閉鎖位置にロックする（図３）。所定の実施形態によれば、底部プレートのために単一のフランジシール、好ましくはフランジシール３０Ｂを使用することができる。底部フランジシール３０Ｂは、ブロットホルダーを伸ばすように機能する。その接触面は、いったん伸ばされたら、キャリアの頂部及び底部がブロットホルダーを定位置で挟むように設計される。また、外側フランジシール３００Ａ、３００Ｂも図４に示されている。
【００５７】
図５、５Ａ及び５Ｂは、所定の実施形態に従うホルダー２を示す。ホルダー２は、タンパク質ブロッティング膜４５を支持するように構成された外周縁部を有するフレーム４０を備える。所定の実施形態では、フレーム４０は、プラスチック又は紙から構成される。所定の実施形態では、フレーム４０の材料は、生物樹脂、ボール紙、ＨＩＰＳ、紙又は膜を支持しかつ平坦に保持することのできる任意の好適な他の剛体材料であることができる。所定の実施形態によれば、ＧＶＰＰ膜のような流れ分配部４６をフレームに積層し、そうでなければフレームに取り付け、それにわたってブロッティング膜４５を設置することができる。流れ分配部４６はフレームに固定され、そして、ブロット膜は、ブロットホルダーが閉じた時に流れ分配部４６と多孔質支持体４７との間でサンドイッチされる。ブロットホルダー上の多孔質支持体４７は、キャリア底部プレートの多孔質支持体４で支持され、かつ、それと接触している。流れ分配部４６は、ブロッキング溶液及び抗体をブロット膜にわたって均一に分布させるように機能する。また、このものは、真空を加えたときにこれらの溶液の流れを制御する。また、ホルダー２は、フレームに一方の縁に沿って結合する１枚のプロピレン不織メッシュなどの多孔質支持体４７も備え、それによって使用者がブロット膜を容易に加えることができるようにし、そして、これは、ブロット膜を支持し、かつ、該膜を真空力下での損傷から保護する。支持体４７は、ブロットホルダー２を介して液体が自由に流れることができるように多孔質である。図６において、ホルダー２は、キャリア１０内に適切に位置することが示されている。
【００５８】
所定の実施形態では、ホルダー２は、感圧接着剤をポリプロピレンメッシュの背面に積層することによって作製でき、それによって、ブロット膜をホルダーに加えた後に、使用者が裏当てストリップを除去して感圧接着剤を露出させ、その後該メッシュを流れ分配部（例えば、ＧＶＰＰ膜）に密閉して密閉エンベロープを創り出すことができる。ブロッティング膜を除去するために、目打ち及びジッパーを設けて上記エンベロープを破って開けることができる。
【００５９】
所定の実施形態では、薄いパタパー紙、ろう紙又は他の紙材料の薄いシートをポリプロピレンメッシュの一方の面に積層する。ホルダーが水で湿っている場合（この方法において必要とされる場合）には、湿った紙の裏当てがＧＶＰＰ膜に粘着し、一時的な密閉を創り出す。このプロセスが完了した後に、ブロット膜は、何かを引き裂くことなく又は粘着性のある接着剤を扱うことなく除去するのが容易である。その後、紙の裏当てが乾き、それがカールし、ホルダーが使用できなくなったら、ホルダーを処分する。
【００６０】
図７及び８は、底部キャリアプレート１３の下面を示している。図７に示されているのは、多孔質支持体４内にある複数の開口７４である。図８に示すように、カバー１４を使用して、インキュベーションの際、特に長時間にわたって、例えば一晩インキュベートする際に、抗体の漏れを防ぐために開口をカバーする。所定の実施形態によれば、開口７４は、環状凸リング４９によって取り囲まれており、カバー１４は、環状リング４９と結合するように構成された、対応する環状溝６０（図４）を有するため、このカバーをこのリングに押圧してそれをキャリアプレート１３に固定することができる。
【００６１】
或いは、図４Ａに示すように、カバー１４を除外することができ、また、傘形弁１４４を使用してインキュベーション中に液体を保持することができる。真空を加える場合には、この弁を開き、液体を排出する。好ましくは、この弁は、剛性及び真空を止めたときに迅速に閉じることのできる能力のためＥＰＤＭ（エチレンプロピレンジエン単量体）から作製される。これは、（シリコーン弁では）ブロットホルダーが屈し、不都合な抗体貯留に至る原因であった背圧及び空気トラッピングを防ぐことに役立つ。抗体貯留（不均質な被覆）は、最終ブロットの読み出し時に不均一なシグナルをもたらす：閉じこめられた空気に近い領域は、弱いシグナル（フェイント）を有し、貯留抗体の領域は、強いシグナル（ボールド）を有することになる。
【００６２】
図９及び１０に示すように、所定の実施形態によれば、マニホールド８は、好適な真空源（図示しない）に取り付けることができる真空マニホールドである。このマニホールド８は、廃棄物収集装置（図示しない）、例えば、キャリア１０を介して引っ張られる液体を集めるためにマニホールド（図示しない）内に設置される容器を備えることができる。
【００６３】
所定の実施形態によれば、マニホールド８は、排出管と、１個以上のキャリア１０が上に設置される支持表面４４とを有する基部４２を備える。支持表面４４は、１個以上のウェル又はキャリア受容領域５５Ａ、５５Ｂ（図９で示す２つ）を備え、これらは、マニホールド８内に好適な態様でキャリア１０を保持するためにキャリア底部プレート１３の下面を収容する複数の直立リブ５６を備えることができる。また、マニホールド８及びプロセスを管理しかつ監視するための任意の各コントロール６２も示されている。装置は、所望ならば自動液体ハンドラーなどで使用できる。マニホールド８が１個以上のウェル又はキャリア受容領域にさらに分割される場合には、マニホールドは、キャリアと異なるブロッティング膜又は１個のブロッティング膜の副部品とが並行になるように１個よりも多いホルダーを加工することができ、各膜は、典型的には、少なくとも１種の異なる試薬で処理される。マニホールド８は共通の圧力源を有することができ、又はそれぞれのステーションキャリア受容領域は、個々に圧力制御できる。
【００６４】
別の実施形態では、マニホールドは、キャリアの一実施形態である１個以上のレベル指示器と共に使用した場合に、マニホールドとキャリアとを水平面で水平にすることを可能にするレベリングフィートを有する。一実施形態では、マニホールドは、キャリアがマニホールドに取り付けられたときに該キャリア上にあるレベル指示器に関連してマニホールドを水平にするように垂直方向で調節することのできる一連のフィートを有する。さらなる実施形態では、この一連のフィートは、個々に垂直方向に上昇させる又は低下させることを可能にするためにマニホールドの底部のネジ部に適合するスクリューを有する。
【００６５】
ここで開示した実施形態において様々な方法を使用することができる。重要なのは、これらの方法が、全て、従来行われていたような膜表面での２−Ｄ相互作用のみではなく、膜の厚みを介した全ての分子の３−Ｄ相互作用を可能にする膜の大きな内部表面積にアクセスするように、真空又は陽圧により行われる液体ろ過に依存することである。陽圧を使用する場合には、基部はキャリアを収容できる閉じたチャンバーとすることができ、蓋１１は、圧力をキャリアのウェル２２に加えるために圧力マニホールドとなると考えられる。
【００６６】
最も単純な方法は、ここで開示した実施形態を使用して１回以上の洗浄サイクルを実施することである。典型的には、各洗浄サイクルは、１回以上の洗浄工程からなる。一般に、１サイクル当たり２〜５工程を使用する。
【００６７】
別の方法は、各工程において、ここで開示された実施形態を使用することであり、その際、例えば抗体のインキュベーション後又は洗浄工程中に、液体をブロッティング膜を介して移動させることが必要である。
【００６８】
これらの方法の全てにおいて、液体を、装置を介してマニホールドに移動させるのに好適な任意の推進力を使用することができる。これは、使用するブロッティング及びマニホールドに対して選択される膜、所望のろ過速度及び研究者に利用可能な真空又は陽圧の供給に応じて変更できる。
【００６９】
一般に、利用可能な真空は、１００〜７６０ｍｍＨｇ（１３３ミリバール〜１０１３ミリバール）の間で変更できる。また、弁、圧力制限器などを使用して、使用する膜についての許容範囲内で真空を維持することができる。一実施形態の好ましい真空マニホールドは、約１００ｍｍＨｇの真空を使用する。他の好適な真空マニホールドとしては、米国マサチューセッツ州ビレリカのミリポア・コーポレーションから入手できるＭＵＬＴＩＳＣＲＥＥＮ（商標）及びＭＵＬＴＩＳＣＲＥＥＮ（商標）HTS真空マニホールドが挙げられるが、これらに限定されない。
【００７０】
一般に、陽圧は、約２ｐｓｉ〜約１５ｐｓｉの範囲の圧力で送気管により供給される。また、弁、圧力制限器などを使用して、使用する膜についての許容範囲内に圧力を保持することもできる。このような圧力システムとしては、米国マサチューセッツ州ビレリカのミリポア・コーポレーションから入手できるＡｍｉｃｏｎ（商標）撹拌セル装置及び米国マサチューセッツ州ホプキントンのカリパー・ライフ・サイエンセズから入手できる陽圧ろ過ユニットが挙げられるが、これらに限定されない。
【００７１】
ここで開示された実施形態に従う装置を使用するにあたっては、単に、ホルダーを持ち込み、それを開き、そしてそれらの表面の一つにブロッティング膜を、ブロッティング膜の下部表面が多孔質支持体に隣接し、かつ、ブロッティング膜の上部表面が流れ分配部に隣接するように設置して、装置を膜を囲むように閉じたときにブロットと流れ分配部との間に泡を有しないようにするに過ぎない。これら２つの表面間にある泡は、流れのない領域を生じさせる場合がある。このときには、ブロットホルダーをキャリアの内部に設置し、その後、キャリアをラッチ機構でしっかりと閉じる。この装置は、圧力供給（真空又は陽圧）を有するマニホールド上又は該マニホールド中に設置される。好ましくは、ブロッティング膜は予め湿らせてある。圧力（真空又は陽圧）を加え、そして、洗浄液又は試薬などの液体をキャリアのウェル内に置く。液体が装置及び膜を通して移動するまで、この圧力を続行する。その後、圧力を止める。
【００７２】
１個よりも多いブロッティング膜を使用する場合には、これらを互いの頂部に直列に配置することができ、そして同じ所望の試料を含有する十分な液体を、１回のプロセス工程を介して容易に移動させることができる。一般に、１個を超える層を使用する場合には、２〜１０層、好ましくは２〜５層を同時に使用することが好ましい。
【００７３】
この液体を、この液体がごく短時間にのみ膜に入るように圧力供給のない状態で添加し又は圧力供給のある状態で添加することができ、しかもこの液体は、インキュベートするのが可能になる（例えば、一次抗体又は二次抗体で必要とされる場合がある）。続いて、圧力を加えて液体を除去し及び／又はこれを連続的に使用される別のもので置き換える。好ましくは、洗浄中に、真空のままにし、残りの洗浄液を連続的に添加する。
【００７４】
随意に、所望ならば、装置の下、好ましくはマニホールド自体又は下流に収集容器７０、例えば抗体回収トレーを設置することができる（図９Ａ）。その後、このものを使用して、高価な場合のある１種以上の非結合試薬を集めることができ、該試薬は、さらなるアッセイに使用するために集め、かつ、リサイクルできる。また、この容器は、ブロッティング膜と合致しかつ流体連通する複数のチャンバーにさらに分割できる。
【００７５】
加えて又は代わりに、ホルダーの下にある下流流路に、高価な１種以上の非結合試薬を可逆的に結合させることのできる吸収性マトリックスを設置できる。このマトリックスは、好ましくはモノリスの形態であり、例えば、ブロッティング膜及びホルダーを通過する全ての液体がマトリックスを通過するように設置されるパッド、プラグ又は紙シートである。その後、これを除去し、そして試薬を溶出させることができ、或いは所望ならば、このものは、ブロッティング膜の試験の完了後に結合試薬をその場で溶出させることができる。
【００７６】
また、ここで開示した実施形態の装置と共に他の方法を使用することもできる。
【００７７】
膜は、その隙間内に、検出される１種以上の物質を含有する。通常、これらの物質は、通常は抗体又は特定のタンパク質などの特定のタイプの物質の存在、不存在又は量を検出するために電気泳動又はクロマトグラフィー用の固体担体からブロットされたため、或いは直接の適用によって隙間内に存在する（すなわち上記のようなドット−ブロット形アッセイ）。しかしながら、膜の定義は、これらの事例に限定されず、膜がその隙間内に１種以上の被検出物質を含む任意の場合に適用される。ここで開示した実施形態で使用するにあたって想定される膜の種類に含まれるのは、電気泳動ゲルをブロットするのに一般的に使用される膜、例えば、ニトロセルロース；ナイロン；又は様々な他の高分子膜、例えば米国マサチューセッツ州ビレリカのミリポア・コーポレーションがＩＭＭＯＢＩＬＯＮ（商標）膜として販売するポリ弗化ビニリデン（ＰＶＤＦ）である。
【００７８】
当該技術分野において理解されているとおり、様々な材料を使用して、様々な試料で実施された電気泳動ゲルの結果を再現することができる。最も一般的には、これらの試料は、個々のタンパク質、抗体、核酸、オリゴヌクレオチド、複合糖質などといった生物学的物質を含有するが、この技術の適用はこれらの物質に限定されない。この技術は、膜又は目的物質の化学組成にかかわらず、内部に被検出物質を含む任意の膜に適用できる。
【００７９】
電気泳動結果のレプリカを示す膜を使用する場合には、被検出物質のゲルから膜への転移は、転移緩衝液を含有する膜を使用することによって、電気泳動溶出によって、又はゲルのドライブロッティングによって実施できる。これらの転移のための技術は、当該技術分野においてはよく理解されているため、ここで開示される実施形態の一部を構成するものではない。
【００８０】
供給される液体は、検出用試薬を含有することや、単に洗浄剤として与えられることができる。もちろん、検出用試薬の性質は、検出される物質に依存する。典型的には、タンパク質は、抗原と抗体又はその免疫反応性部分との免疫学的反応によって検出される。典型的には、核酸断片の存在は、好適なオリゴヌクレオチドプローブによって検出される。検出される物質との直接の反応又は特異的な反応の原因である検出用物質は、必要ならばさらにラベルが加えられていてもよく、また、検出用試薬を複数回適用することも必要な場合がある。例えば、プロトコールは、酵素、例えば、一般にはホースラディッシュペルオキシダーゼがラベルされた抗体を適用することによって抗原を検出し、その後、この結合をこの酵素用の物質を供給することによって検出することを含むことができる。試薬の適用の際に、好ましくはないが、正に圧力をかけられたドナーマトリックスを使用してこの膜の成分を所定期間にわたって露出させることも可能である。
【００８１】
ここで開示した実施形態の方法を室温で実施することが最も便利であるが、ただし、それよりも高温及び低温を使用することもできる。これは、装置を加熱すること、その周囲の環境（ヒートボックス又は冷却ボックス内など）又はこの系で使用される液体に影響を受ける場合がある。
【００８２】
ブロットは、この装置及び方法において複数の抗体又はプローブを用いて、予め結合させておいた抗体をこのブロットから取り除き（ストリップ）、その後、他の目的タンパク質に特異的な抗体又は他のプローブと共にインキュベートすることによって連続的に分析できる。このストリッププロセスは、抗原・抗体結合を破壊し、そして抗体を周囲の緩衝液に溶解させる。これは、通常、洗剤と熱との組合せ又は高いｐＨ若しくは低いｐＨにさらすことにより達成される。流れ分配部が組み合わされた装置は、この高又は低ｐＨ方法を使用してブロットのストリップを可能にする。その後、直接（例えば、除去のために使用される同じ流れ分配部を用いる）又は保存後のいずれかに行うブロットの再プロービングは、最初のプロービングと同じプロトコールを使用すると考えられる。ストリップブロッティングに好適なキットは、ケミコン・インターナショナル社からＲｅＢｌｏｔ（商標）Ｐｌｕｓ  ｋｉｔ（カタログ番号２５００）、ＲｅＢｌｏｔ  Ｐｌｕｓ−Ｍｉｌｄ  Ｓｏｌｕｔｉｏｎ（カタログ番号２５０２）及びＲｅＢｌｏｔ  Ｐｌｕｓ−Ｓｔｒｏｎｇ  Ｓｏｌｕｔｉｏｎ（カタログ番号２５０４）という商品名で販売されている。
【００８３】
標準的なウエスタンブロット法では、抗原又は標的を膜担体に転移させ、そして抗体、タンパク質（例えば、タンパク質Ａ）又はレクチン（炭水化物部分に結合するタンパク質若しくは糖タンパク質）などの好適なプローブでプロービングする。いくつかの用途では、逆の構成（例えば、逆アレイ）を使用し、その際、抗体又は他のプローブを膜その他の担体上にスポットし（典型的にはアレイ形式で）、そして抗原又は標的を該アレイ上にある固定抗体に与える。標的・プローブ結合事象の視覚化は、抗原又は標的をラベルすることや、該標的に特異的な二次抗体を使用することによって達成できる。逆アレイは、標的の混合物、例えば並行処理を可能にするために異なる蛍光色がラベルされた溶解物の混合物を使用する場合が多い。また、逆アッセイは、ここで開示した実施形態でも実施できる。
【符号の説明】
【００８４】
２  ホルダー
４  支持体
８  マニホールド
１０  キャリア
１１  蓋
１２  キャリア頂部プレート
１３  キャリア底部プレート
１４  カバー
１５  バブルレベル
１６  ヒンジ
２２  ウェル
４０  フレーム
４２  基部
４４  支持表面
４５  ブロッティング膜
４６  流れ分配部
４７  多孔質支持体
４９  環状凸リング
６０  環状溝
６２  コントロール
７２  溝
７４  開口
１４４  傘形弁
【図１】
2015165248.tif 000003
【図２】
2015165248.tif 000004
【図３】
2015165248.tif 000005
【図４】
2015165248.tif 000006
【図４Ａ】
2015165248.tif 000007
【図５】
2015165248.tif 000008
【図５Ａ】
2015165248.tif 000009
【図５Ｂ】
2015165248.tif 000010
【図６】
2015165248.tif 000011
【図７】
2015165248.tif 000012
【図８】
2015165248.tif 000013
【図９】
2015165248.tif 000014
【図９Ａ】
2015165248.tif 000015
【図１０】
2015165248.tif 000016
【図１０Ａ】
2015165248.tif 000017